(57)【特許請求の範囲】
【請求項１】
長尺状をなす圧電素子と、該圧電素子を保持するパネルと、当該パネルを保持するとともに、前記パネルを介して振動が伝わる筺体と、を備え、前記圧電素子の長辺方向において該圧電素子の直上がその周囲と比較して最も高く隆起するように、前記圧電素子によって前記パネルが曲げられ、当該パネルに接触する耳の接触領域が振動して音を伝える電子機器において、
前記筺体の剛性が変化する剛性変化部を備える、電子機器。
【請求項２】
前記剛性変化部は、前記筺体の厚みを変化させることにより形成されている、請求項１に記載の電子機器。
【請求項３】
前記筺体の厚みの変化は、前記筺体に周期的あるいはランダムにシボ加工を施すことにより形成されている、請求項２に記載の電子機器。
【請求項４】
前記筺体の厚みの変化は、前記筺体の表面に形成された溝部により形成されている、請求項２に記載の電子機器。
【請求項５】
前記筺体の溝部は、格子状に複数形成されている、請求項４に記載の電子機器。
【請求項６】
前記剛性変化部は、前記筺体に設けられた前記筺体と一体のあるいは別体のリブからなる、請求項１に記載の電子機器。
【請求項７】
前記リブは、前記圧電素子から遠ざかる一方向を特定したときに、当該一方向と交差する方向に延在するように、単数又は複数配置されている、請求項６に記載の電子機器。
【請求項８】
前記リブは、直線状あるいは弧状をなす、請求項６又は７に記載の電子機器。
【請求項９】
前記リブは、前記筺体の内面に設けられている、請求項６から８のいずれか一項に記載の電子機器。
【請求項１０】
前記圧電素子は、前記パネルの一方向における一端側に配置されている、請求項１から９のいずれか一項に記載の電子機器。
【請求項１１】
前記筐体は、平面視における形状が矩形状を成し、対向する一方の２辺の長さが、対耳珠から対耳輪下脚までの長さ以上である、請求項１から１０のいずれか一項に記載の電子機器。
【請求項１２】
前記筐体は、対向する他方の２辺の長さが、耳珠から対耳輪までの長さ以上である、請求項１１に記載の電子機器。
【請求項１３】
前記圧電素子は、前記パネルに接合部材により接合されて固定される、請求項１から１２のいずれか一項に記載の電子機器。
【請求項１４】
前記接合部材は、非加熱型硬化性の接着材である、請求項１３に記載の電子機器。
【請求項１５】
前記接合部材は、両面テープである、請求項１３に記載の電子機器。
【請求項１６】
前記パネルは、前記筐体に接合部材により接合される、請求項１から１５のいずれか一項に記載の電子機器。
【請求項１７】
前記接合部材は、非加熱型硬化性の接着材である、請求項１６に記載の電子機器。
【請求項１８】
前記接合部材は、両面テープである、請求項１６に記載の電子機器。
【請求項１９】
前記パネルは、表示部、入力部、前記表示部のカバー、充電池を取り外し可能とするためのリッドのうちいずれかの一部または全部を構成する、請求項１から１８のいずれか一項に記載の電子機器。
【請求項２０】
前記パネルにおける前記圧電素子の固定部分は、当該パネルの平面視における表示部との重複領域の外部に位置する、請求項１から１９のいずれか一項に記載の電子機器。
【発明の詳細な説明】
【技術分野】
【０００１】
本発明は、圧電素子に所定の電気信号（音声信号）を印加することでパネルを振動させ、当該パネルの振動を人体に伝達させることにより気導音と振動音とを利用者に伝える電子機器に関する。
【背景技術】
【０００２】
特許文献１には、携帯電話などの電子機器として、気導音と骨導音とを利用者に伝えるものが記載されている。また、特許文献１には、気導音とは、物体の振動に起因する空気の振動が外耳道を通って鼓膜に伝わり、鼓膜が振動することによって利用者の聴覚神経に伝わる音であることが記載されている。また、特許文献１には、骨導音とは、振動する物体に接触する利用者の体の一部（例えば外耳の軟骨）を介して利用者の聴覚神経に伝わる音であることが記載されている。
【０００３】
特許文献１に記載された電話機では、圧電バイモルフ及び可撓性物質からなる短形板状の振動体が、筐体の外面に弾性部材を介して取り付けられる旨が記載されている。また、特許文献１には、この振動体の圧電バイモルフに電圧が印加されると、圧電材料が長手方向に伸縮することにより振動体が屈曲振動し、利用者が耳介に振動体を接触させると、気導音と骨導音とが利用者に伝えられることが記載されている。
【先行技術文献】
【特許文献】
【０００４】
【特許文献１】特開２００５−３４８１９３号公報
【発明の概要】
【発明が解決しようとする課題】
【０００５】
特許文献１に記載の電子機器においては、振動体の振動が筐体に伝達されて筐体が振動することによる外部への音漏れについては、何ら考慮されていない。
【０００６】
本発明の目的は、上述した課題を解決し、筐体の振動による音漏れを軽減できる電子機器を提供することにある。
【課題を解決するための手段】
【０００７】
本発明に係る電子機器は、長尺状をなす圧電素子と、該圧電素子を保持するパネルと、当該パネルを保持するとともに、前記パネルを介して振動が伝わる筺体と、を備え、前記圧電素子の長辺方向において該圧電素子の直上がその周囲と比較して最も高く隆起するように、前記圧電素子によって前記パネルが曲げられ、当該パネルに接触する耳の接触領域が振動して音を伝える電子機器において、
前記筺体の剛性が変化する剛性変化部を備える、ことを特徴とする。
【０００８】
前記剛性変化部は、前記筺体の厚みを変化させることにより形成されてもよい。
【０００９】
前記筺体の厚みの変化は、前記筺体に周期的あるいはランダムにシボ加工を施すことにより形成されてもよい。
【００１０】
前記筺体の厚みの変化は、前記筺体の表面に形成された溝部により形成されてもよい。
【００１１】
前記筺体の溝部は、格子状に複数形成されてもよい。
【００１２】
前記剛性変化部は、前記筺体に設けられた前記筺体と一体のあるいは別体のリブからなってもよい。
【００１３】
前記リブは、前記圧電素子から遠ざかる一方向を特定したときに、当該一方向と交差する方向に延在するように、単数又は複数配置されてもよい。
【００１４】
前記リブは、直線状あるいは弧状をなす、請求項６又は７に記載の電子機器。
【００１５】
前記リブは、前記筺体の内面に設けられてもよい。
【００１６】
前記圧電素子は、前記パネルの一方向における一端側に配置されてもよい。
【００１７】
前記筐体は、平面視における形状が矩形状を成し、対向する一方の２辺の長さが、対耳珠から対耳輪下脚までの長さ以上であってもよい。
【００１８】
前記筐体は、対向する他方の２辺の長さが、耳珠から対耳輪までの長さ以上であってもよい。
【００１９】
前記圧電素子は、前記パネルに接合部材により接合されて固定されてもよい。
【００２０】
前記接合部材は、非加熱型硬化性の接着材であってもよい。
【００２１】
前記接合部材は、両面テープであってもよい。
【００２２】
前記パネルは、前記筐体に接合部材により接合されてもよい。
【００２３】
前記パネルを前記筐体に接合する前記接合部材は、非加熱型硬化性の接着材であってもよい。
【００２４】
前記パネルを前記筐体に接合する前記接合部材は、両面テープであってもよい。
【００２５】
前記パネルは、表示部、入力部、前記表示部のカバー、充電池を取り外し可能とするためのリッドのうちいずれかの一部または全部を構成してもよい。
【００２６】
前記パネルにおける前記圧電素子の固定部分は、当該パネルの平面視における表示部との重複領域の外部に位置させてもよい。
【発明の効果】
【００２７】
本発明に係る電子機器によれば、することが可能となる。
【図面の簡単な説明】
【００２８】
【図１】本発明の一実施形態に係る電子機器の要部の機能ブロックを示す図である。
【図２】パネルの好適な形状を示す図である。
【図３】第１の実施形態に係る電子機器の実装構造の要部を概略的に示す図である。
【図４】第１の実施形態に係る電子機器のリアケースの剛性変化部の構成を示す図である
【図５】第１の実施形態に係る電子機器のパネルの振動の一例を示す図である。
【図６】第１の実施形態に係る電子機器のリアケースによる振動の減衰効果を説明するための図である。
【図７】第２の実施形態に係る電子機器の実装構造の要部を概略的に示す図である。
【図８】第２の実施形態に係る電子機器のパネルの振動の一例を示す図である。
【図９】剛性変化部の変形例を示す図である。
【発明を実施するための形態】
【００２９】
以降、諸図面を参照しながら、本発明の実施態様を詳細に説明する。図１は、本発明の一実施形態に係る電子機器１の要部の機能ブロックを示す図である。電子機器１は、例えば携帯電話であって、無線通信部５と、パネル１０と、表示部２０と、圧電素子３０と、入力部４０と、制御部５０と、を備える。無線通信部５は、公知の構成からなり、基地局等を介して通信ネットワークに無線接続される。
【００３０】
パネル１０は、接触を検出するタッチパネル、または表示部２０を保護するカバーパネル等である。パネル１０は、例えばガラス、またはアクリル等の合成樹脂により形成される。パネル１０の形状は板状であるとよい。パネル１０は、タッチパネルである場合、利用者の指、ペン、又はスタイラスペン等の接触を検出する。タッチパネルの検出方式は、静電容量方式、抵抗膜方式、表面弾性波方式（又は超音波方式）、赤外線方式、電磁誘導方式、及び荷重検出方式等の任意の方式を用いることができる。
【００３１】
表示部２０は、液晶ディスプレイ、有機ＥＬディスプレイ、又は無機ＥＬディスプレイ等の表示デバイスである。表示部２０は、パネル１０の背面側に設けられる。表示部２０は、接合部材（例えば接着剤）によりパネル１０の背面に配設される。表示部２０は、パネル１０と離間して配設され、電子機器１の筐体により支持されてもよい。
【００３２】
圧電素子３０は、電気信号（電圧）を印加することで、構成材料の電気機械結合係数に従い伸縮または湾曲する素子である。これらの素子は、例えばセラミック製や水晶からなるものが用いられる。圧電素子３０は、ユニモルフ、バイモルフまたは積層型圧電素子であってよい。積層型圧電素子には、バイモルフを積層した（例えば１６層または２４層積層した）積層型バイモルフ素子が含まれる。積層型の圧電素子は、例えばＰＺＴ（チタン酸ジルコン酸鉛）からなる複数の誘電体層と、該誘電体層間に配置された電極層との積層構造体から構成される。ユニモルフは、電気信号（電圧）が印加されると伸縮し、バイモルフは、電気信号（電圧）が印加されると湾曲する。
【００３３】
圧電素子３０は、パネル１０の背面（電子機器１の内部側の面）に配置される。圧電素子３０は、接合部材（例えば両面テープ）によりパネル１０に取り付けられる。圧電素子３０は、中間部材（例えば板金）を介してパネル１０に取り付けられてもよい。圧電素子３０は、パネル１０の背面に配置された状態で、筐体の内部側の表面と所定の距離だけ離間している。圧電素子３０は、伸縮または湾曲した状態でも、筐体の内部側の表面と所定の距離だけ離間しているとよい。すなわち、圧電素子３０と筐体の内部側の面との間の距離は、圧電素子３０の最大変形量よりも大きいとよい。
【００３４】
入力部４０は、利用者からの操作入力を受け付けるものであり、例えば、操作ボタン（操作キー）から構成される。なお、パネル１０がタッチパネルである場合には、パネル１０も利用者からの接触を検出することにより、利用者からの操作入力を受け付けることができる。
【００３５】
制御部５０は、電子機器１を制御するプロセッサである。制御部５０は、圧電素子３０に所定の電気信号（通話相手の音声または着信メロディもしくは音楽を含む楽曲等の音声信号に応じた電圧）を印加する。なお、音声信号は、内部メモリに記憶された音楽データに基づくものでもよいし、外部サーバ等に記憶されている音楽データがネットワークを介して再生されるものであってもよい。
【００３６】
圧電素子３０に電気信号が印加されると、圧電素子３０は長手方向に伸縮又は湾曲する。このとき、圧電素子３０が取り付けられたパネル１０は、圧電素子３０の伸縮又は湾曲にあわせて変形し、パネル１０が湾曲振動する。ここで、制御部５０が圧電素子３０に対して印加する電気信号の最大電圧は、例えば、振動音を伝えない気導音による音の伝導を目的とした所謂パネルスピーカの印加電圧である±５Ｖよりも高い、±１５Ｖが印加されてもよい。これにより、利用者が例えば３Ｎ以上の力（例えば５Ｎ〜１０Ｎの力）で自身の体にパネル１０を押し付けた場合であっても、パネル１０に十分な湾曲振動を発生させ、利用者の体の一部（例えば外耳の軟骨）を介する振動音を発生させることができる。尚、どの程度の印加電圧を用いるかは、パネルの固定強度や素子の性能等を加味して適宜調整可能である。
【００３７】
パネル１０は、圧電素子３０が取り付けられた取付領域だけでなく、取付領域から離れた領域も湾曲振動する。パネル１０は、振動する領域において、当該パネル１０の主面と交差する方向に振動する箇所を複数有し、当該複数の箇所の各々において、振動の振幅の値が、時間とともにプラスからマイナスに、あるいはその逆に変化する。パネル１０は、ある瞬間において、振動の振幅が相対的に大きい部分と振動の振幅が相対的に小さい部分とが一見パネル１０の略全体にランダムにあるいは周期的に分布した振動をする。即ちパネル１０の全域にわたって、複数の波の振動が検出される。利用者が例えば５Ｎ〜１０Ｎの力で自身の体にパネル１０を押し付けた場合であっても、パネル１０の上述したような振動が減衰しないためには、制御部５０が圧電素子３０に対して印加する最大電圧は、±１５Ｖであってよい。そのため、利用者は、上述した圧電素子３０の取付領域から離れた領域に耳を接触させて音を聞くことができる。
【００３８】
ここで、パネル１０は、利用者の耳とほぼ同じ大きさであってよい。また、パネル１０は、図２に示すように、利用者の耳よりも大きいものであってもよい。この場合、利用者が音を聞く際、電子機器１のパネル１０により耳全体が覆われやすいことから、周囲音（ノイズ）を外耳道に入りにくくできる。パネル１０は、対耳輪下脚（下対輪脚）から対耳珠までの間の距離に相当する長さと、耳珠から対耳輪までの間の距離に相当する幅とを有する領域よりも広い領域が振動すればよい。パネル１０は、好ましくは、耳輪における対耳輪上脚（上対輪脚）近傍の部位から耳垂までの間の距離に相当する長さと、耳珠から耳輪における対耳輪近傍の部位までの間の距離に相当する幅を有する領域が振動すればよい。上記の長さおよび幅を有する領域は、長方形状の領域であってもよいし、上記の長さを長径、上記の幅を短径とする楕円形状であってもよい。日本人の耳の平均的な大きさは、社団法人  人間生活工学研究センター（ＨＱＬ）作成の日本人の人体寸法データベース（１９９２−１９９４）等を参照すれば知ることができる。尚、パネル１０が日本人の耳の平均的な大きさ以上の大きさであれば、パネル１０は概ね外国人の耳全体を覆うことができる大きさであると考えられる。上記のような寸法や形状を有することで、パネル１０は、ユーザの耳を覆うことができ、耳に当てたときの位置ずれに対して寛容になる。
【００３９】
上記の電子機器１は、パネル１０の振動により、気導音と、利用者の体の一部（例えば外耳の軟骨）を介する振動音とを利用者に伝えることができる。そのため、従来のダイナミックレシーバと同等の音量の音を出力する場合、パネル１０が振動することで空気の振動により電子機器１の周囲へ伝わる音は、ダイナミックスピーカと比較して少ない。したがって、例えば録音されたメッセージを電車内等で聞く場合等に適している。
【００４０】
また、上記の電子機器１は、パネル１０の振動によって振動音を伝えるため、例えば利用者がイヤホンまたはヘッドホンを身につけていても、それらに電子機器１を接触させることで、利用者はイヤホンまたはヘッドホンおよび体の一部を介して音を聞くことができる。
【００４１】
上記の電子機器１は、パネル１０の振動により利用者に音を伝える。そのため、電子機器１が別途ダイナミックスピーカを備えない場合、音声伝達のための開口部（放音口）を筐体に形成する必要がなく、電子機器１の防水構造が簡略化できる。尚、電子機器１がダイナミックスピーカを備える場合、放音口は、気体は通すが液体は通さない部材によって閉塞されるとよい。気体は通すが液体は通さない部材は、例えばゴアテックス（登録商標）である。
【００４２】
（第１の実施形態）
図３は、第１の実施形態に係る電子機器１の実装構造の要部を概略的に示す図である。図３（ａ）は正面図、図３（ｂ）は図３（ａ）におけるｂ−ｂ線に沿った断面図である。図３に示す電子機器１は、パネル１０として長方形状のガラス板が、筐体６０（例えば金属や樹脂のケース）の前面に配されたスマートフォンである。
【００４３】
パネル１０は、例えば静電容量方式のタッチパネルを構成するもので、接合部材７０を介して筐体６０に支持されている。パネル１０には、長手方向の一端側（上部）を除く背面に、接合部材７０を介して表示部２０が接合されている。また、パネル１０の一方向における一端側である上部背面には、圧電素子３０が接合部材７０を介して接合されている。圧電素子３０は、長方形状を成し、その長辺がパネル１０の短辺に沿うように接合される。なお、接合部材７０は、熱硬化性あるいは紫外線硬化性等を有する接着剤や両面テープ等であり、例えば無色透明のアクリル系紫外線硬化型接着剤である光学弾性樹脂でもよい。
【００４４】
入力部４０は、パネル１０の長手方向の他端部（下部）側において、筐体６０に支持されている。また、入力部４０には、破線で示すように、マイクの送話口４１が形成されている。つまり、長方形状の筐体６０の上部側に圧電素子３０が配置され、下部側に送話口４１が形成されている。
【００４５】
筐体６０のリアケース６１の外表面には、図４（ａ）に部分斜視図を、図４（ｂ）に図４（ａ）のｂ−ｂ線断面図をそれぞれ示すように、剛性変化部を構成する溝部６２が格子状に複数形成されている。つまり、リアケース６１は、溝部（凹部）６２の厚みが、他の部分（凸部）６３よりも薄くなっており、凸部６３の剛性が凹部６２の剛性よりも高くなっている。
【００４６】
図５は、第１の実施形態に係る電子機器１のパネル１０の振動の一例を示す図である。第１の実施形態に係る電子機器１は、表示部２０がパネル１０に取り付けられている。このため、パネル１０の下部の剛性が上がり、圧電素子３０が取り付けられたパネル１０の上部の振動をパネル１０の下部に比して大きく振動させることが可能となる。そのため、パネル１０の下部において、パネル１０の下部が振動することによる音漏れが低減できる。
【００４７】
このように、本実施形態に係る電子機器１によれば、パネル１０は、該パネル１０の背面に取り付けられた圧電素子３０の変形に起因して変形して、圧電素子３０が接着された長手方向の一端側から中央部近傍まで十分に振動する。したがって、利用者は、パネル１０の中央部から上部の領域の少なくとも一部に、利用者の体の一部（例えば外耳の軟骨）を接触させることにより、パネル１０の振動による気導音及び振動音を聞くことができる。これにより、振動体を筐体６０の外面に突出させることなく気導音と振動音とを利用者に伝えることができるため、筐体に比べて非常に小さな振動体を人体に接触させる特許文献１に記載の電子機器よりも使い勝手が向上する。また、圧電素子自体に利用者の耳を当てる必要がないので圧電素子３０そのものが破損しにくい。また、パネル１０ではなく、筐体６０を変形させる場合には、振動を発生させる際に、利用者が端末を落としてしまいやすいのに対して、パネル１０を振動させた場合には、このようなことが起きにくい。
【００４８】
また、本実施形態において、表示部２０及び圧電素子３０は、パネル１０に接合部材７０により接合されている。これにより、表示部２０及び圧電素子３０の変形の自由度を阻害しにくい状態で、表示部２０及び圧電素子３０をパネル１０に取り付けることができる。また、接合部材７０は、非加熱型硬化性の接着剤とすることができる。これにより、硬化時に、表示部２０及び圧電素子３０とパネル１０との間に熱応力収縮が発生しにくいという利点がある。また、接合部材７０は、両面テープとすることができる。これにより、表示部２０及び圧電素子３０とパネル１０との間に接着剤使用時のような収縮応力がかかりにくいという利点がある。また、パネル１０も、接合部材７０により筐体６０に接合されているので、同様の効果が得られる他、筐体６０のリアケース６１にパネル１０からの振動がダイレクトに伝わりにくくなり、筐体自体が大きく振動する場合と比較して、ユーザが電子機器１を落としてしまう恐れを低減できる。
【００４９】
また、筐体６０のリアケース６１には、格子状の凹凸パターンからなる剛性変化部が形成され、凸部６３の剛性が凹部（溝部）６２の剛性よりも高くなっている。これにより、図６（ａ）及び（ｂ）に比較して示すように、圧電素子３０が同じ振幅で振動しても、リアケース６１の振動を効果的に減衰させることができ、リアケース６１から外部への音漏れをより低減することができる。これにより、圧電素子３０によるリアケース６１の振動をより低減でき、ユーザが電子機器１を落としてしまう恐れをより低減できる。なお、図６（ａ）は、本実施形態の場合のリアケース６１の振動の減衰状態示し、図６（ｂ）は、リアケース６１の厚さを図６（ａ）の凹部６２の厚さと同じ一様な厚さとした場合の振動の減衰状態を示している。また、リアケース６１の剛性変化部は、リアケース６１に凹部（溝部）６２を形成することで形成されるので、簡単に構成することができる。
【００５０】
（第２の実施形態）
図７は、第２の実施形態に係る電子機器１の実装構造の要部を概略的に示す図である。図７（ａ）は正面図、図７（ｂ）は図７（ａ）におけるｂ−ｂ線に沿った断面図、図７（ｃ）は図７（ａ）におけるｃ−ｃ線に沿った断面図である。図７に示す電子機器１は、パネル１０として表示部２０を保護するカバーパネル（アクリル板）が上側の筐体６０ａの前面に配され、入力部４０が下側の筐体６０ｂに配された折りたたみ式の携帯電話である。
【００５１】
第２の実施形態では、パネル１０と圧電素子３０との間に圧電素子３０よりも大きな補強板８０が配置される。補強板８０は、例えば樹脂製の板、板金またはガラス繊維を含む板である。すなわち、第２の実施形態に係る電子機器１は、圧電素子３０と補強板８０とが接合部材７０により接着され、さらに補強板８０とパネル１０とが接合部材７０で接着される構造である。
【００５２】
また、第２の実施形態では、表示部２０は、パネル１０に接着されるのではなく、筐体６０ａによって支持されている。すなわち、第２の実施形態に係る電子機器１は、表示部２０がパネル１０と離間しており、表示部２０と筐体６０ａの一部である支持部９０とが接合部材７０により接着される構造である。なお、支持部９０は、筐体６０ａの一部としての構成に限定されず、金属や樹脂等により筐体６０ａから独立した部材として構成することが可能である。
【００５３】
また、圧電素子３０を内蔵する側の筐体６０ａのリアケース６１には、外表面に、第１の実施形態の場合と同様に、溝部（凹部）６２によって形成された格子状の凹凸パターンからなる剛性変化部を有し、凸部６３の剛性が凹部６２の剛性よりも高くなっている。
【００５４】
図８は、第２の実施形態に係る電子機器１のパネル１０の振動の一例を示す図である。第２の実施形態に係る電子機器１では、パネル１０がガラス板と比較し剛性の低いアクリル板であり、また、パネル１０の背面に表示部２０が接着されていないため、図５に示した第１の実施形態に係る電子機器１の場合と比べ、圧電素子３０により生じる振幅が大きくなる。また、パネル１０は、圧電素子３０が取り付けられた取付領域だけでなく、取付領域から離れた領域も振動する。このため、利用者は、空気を介する気導音に加え、パネル１０の任意の位置に耳を接触させて振動音を聞くことができる。
【００５５】
このように、本実施形態に係る電子機器１によれば、パネル１０に補強部材８０を介して取り付けられた圧電素子３０の変形に起因して補強部材８０およびパネル１０が変形し、当該変形するパネル１０に接触する対象物に対して気導音と振動音とを伝える。これにより、振動体自体を耳に当てることなく気導音と振動音とを利用者に伝えることができる。また、圧電素子３０は、パネル１０の筐体６０ａの内部側の面に取り付けられる。このため、振動体を筐体６０ａの外面に突出させることなく気導音と振動音とを利用者に伝えることができる。また、パネル１０は、圧電素子３０が取り付けられた取付領域だけでなく、パネル１０のいずれの箇所においても気導音と振動音とを伝えるための変形が発生する。このため、利用者は、空気を介する気導音に加え、パネル１０の任意の位置に耳を接触させて振動音を聞くことができる。
【００５６】
また、圧電素子３０とパネル１０との間に補強板８０を配置することで、例えばパネル１０に不所望な外力が加わった場合に、その外力が圧電素子３０に伝達され圧電素子３０が破損する可能性を低減することができる。また、人体にパネル１０を強く接触させても、パネル１０の振動が減衰しにくくできる。また、圧電素子３０とパネル１０との間に補強板８０を配置することで、パネル１０の共振周波数が下がり、低周波帯域の音響特性が向上する。なお、補強板８０に換えて、板状の錘を接合部材７０により圧電素子３０に取り付けてもよい。
【００５７】
また、圧電素子３０を内蔵する側の筐体６０ａのリアケース６１は、第１の実施形態の場合と同様に、外表面に形成された格子状の凹凸パターンからなる剛性変化部を有し、凸部６３の剛性が凹部６２の剛性よりも高くなっている。したがって、第１の実施形態の場合と同様に、リアケース６１からの音漏れを軽減することができる。また、リアケース６１の剛性変化部は、リアケース６１に凹部（溝部）６２を形成することで構成されるので、簡単に構成することができる。
【００５８】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部材、各ステップなどに含まれる機能などは論理的に矛盾しないように再配置可能であり、複数の構成部やステップなどを１つに組み合わせたり、或いは分割したりすることが可能である。
【００５９】
また、剛性変化部を構成する溝部（凹部）は、格子状に複数本形成する場合に限らず、音漏れの軽減量に応じて、１本又は平行に複数本形成してもよい。また、剛性変化部は、筺体６０（６０ａ）に周期的にあるいはランダムにシボ加工を施して、筐体６０（６０ａ）の厚みを変化させて構成したり、筺体６０（６０ａ）に一体又は別体にリブを形成して構成したりすることもできる。これにより、剛性変化部を簡単に構成することができる。なお、剛性変化部をリブにより構成する場合、リブは、圧電素子から遠ざかる一方向を特定したときに、当該一方向と交差する方向に、直線状あるいは弧状に延在するように、筐体６０（６０ａ）に単数又は複数配置される。図９は、圧電素子から遠ざかる一方向（両矢印で示す）を特定したときに、当該一方向と直交する方向に、直線状の２本のリブ６５が筐体６０（６０ａ）に設けられた場合を例示している。また、剛性変化部は、リアケース６１の外面側に限らず、内面側又は両面側に形成してもよい。
【００６０】
さらに、パネル１０と表示部２０とが重畳しない構成である場合、圧電素子３０は、パネル１０の中央に配設されてもよい。圧電素子３０がパネル１０の中央に配設された場合、圧電素子３０の振動がパネル１０の広い範囲、例えば全体に均等に伝わり、気導音の品質を向上させたり、利用者が耳をパネル１０の様々な位置に接触させても骨導音を認識させたりすることができる。また、圧電素子３０は、複数個搭載してもよい。また、圧電素子は、筺体の角部に配置されてもよい。これにより角部を中心に振動音を伝えることができ、耳に筺体の角部を当てがって振動音を個行くこともできる。
【００６１】
また、上記の電子機器１においては、圧電素子３０はパネル１０に貼り付けられているが、パネル１０と異なる場所に取り付けられてもよい。例えば、第１の実施形態において、圧電素子３０は、筐体６０に取り付けられてバッテリを覆うバッテリリッドに貼り付けられてもよい。バッテリリッドは携帯電話機等の電子機器１においてパネル１０と異なる面に取り付けられることが多いため、そのような構成によれば、利用者はパネル１０と異なる面に体の一部（例えば耳）を接触させて音を聞くことができる。
【００６２】
また、パネル１０は、表示パネル、操作パネル、カバーパネル、充電池を取り外し可能とするためのリッドパネルのいずれかの一部または全部を構成することができる。特に、パネル１０が表示パネルのとき、圧電素子３０は、表示機能のための表示領域の外側に配置される。これにより、表示を阻害しにくいという利点がある。操作パネルは、第１実施形態のタッチパネルを含む。また、操作パネルは、例えば折り畳み型携帯電話において操作キーのキートップが一体に形成され操作部側筐体の一面を構成する部材であるシートキーを含む。
【００６３】
なお、第１の実施形態および第２の実施形態では、パネル１０と圧電素子３０とを接着する接合部材およびパネル１０と筐体６０（６０ａ）とを接着する接合部材等を同一の符号を有する接合部材７０として説明した。しかしながら、第１実施形態および第２実施形態で用いられる接合部材は、接合する対象である部材に応じて適宜異なるものが用いられてよい。
【符号の説明】
【００６４】
１  電子機器
５  無線通信部
１０  パネル
２０  表示部
３０  圧電素子
４０  入力部
４１  送話口
５０  制御部
６０、６０ａ、６０ｂ  筐体
６１  リアケース
６２  溝部（凹部）
６３  凸部
６５  リブ
７０  接合部材
８０  補強板
９０  支持部
【図１】
0005968050.tif 000002
【図２】
0005968050.tif 000003
【図３】
0005968050.tif 000004
【図４】
0005968050.tif 000005
【図５】
0005968050.tif 000006
【図６】
0005968050.tif 000007
【図７】
0005968050.tif 000008
【図８】
0005968050.tif 000009
【図９】
0005968050.tif 000010